Podtech/llm-jp-corpus-v4-ja_patent huggingface dataset:
【手続補正書】
【提出日】平成16年7月22日(2004.7.22)
【手続補正１】
【補正対象書類名】特許請求の範囲
【補正対象項目名】全文
【補正方法】変更
【補正の内容】
【特許請求の範囲】
【請求項１】
強制空気対流システムに対する膨張可能な毛布であって、
材料の上側シートと、
材料の下側シートとを含み、前記下側シートの少なくとも一部は通気性があり、
前記上側シートおよび前記下側シートはその周縁端縁のまわりでともに封止されることによって、上側端部と、前記毛布が用いられるときに患者の足の近くに位置決めするための下側端部と、２つの実質的に平行な側部とを有し、かつ上側および下側シートの間に膨張可能な空洞を有する膨張可能な毛布を形成し、
膨張可能な毛布の下側端部に位置する膨張ポートは前記膨張可能な空洞を大気に接続し、前記膨張ポートを通じて前記膨張可能な空洞に空気が導入されることによって前記毛布を膨張させてもよく、
前記上側シートおよび前記下側シートは少なくとも２つの分離可能な封止線に沿ってともにさらに封止されることによって、前記分離可能な封止線の少なくとも１つが分離されてスリットを形成するときに，前記毛布が用いられている患者の所望の領域への毛布を通じた接近が前記スリットを通じて提供され、前記分離可能な封止線は前記下側端部に対向する前記毛布の上側半分に位置し、前記分離可能な封止線は前記上側端部、前記側部および前記下側端部とは間隔を置かれて交差せず、前記分離可能な封止線は互いにおよび前記毛布の前記側部と実質的に平行である、膨張可能な毛布。
【請求項２】
前記膨張ポートは給気ホースに接続可能であり、前記給気ホースを通じて前記膨張可能な空洞に前記空気が導入されて前記毛布を膨張させてもよく、前記膨張ポートは前記上側シートおよび前記下側シートの周辺部を封止することによって前記上側シートおよび前記下側シートの間に形成されることによって、前記膨張可能な空洞に通じる前記膨張ポート内に中央の空気通路を形成する、請求項１に記載の膨張可能な毛布。
【請求項３】
前記膨張部は管状であり、前記膨張可能な毛布は、前記膨張ポートの外表面の少なくとも一部を覆い、前記膨張ポートに前記給気ホースが接続されるときに前記給気ホースの少なくとも一部を覆うために、毛布に取付けられて前記膨張ポートの外表面のまわりに位置決めされる管状の被覆をさらに含む、請求項２に記載の膨張可能な毛布。
【請求項４】
前記膨張ポートは膨張可能な毛布の下側端部から離れて外向きに延在し、前記上側シー
トおよび前記下側シートの伸長部の周辺部を封止することによって形成され、前記伸長部は前記膨張可能な毛布の前記下側端部から外向きに延在する、請求項３に記載の膨張可能な毛布。
【請求項５】
毛布の下側端部に近接する足を覆う領域を提供するために毛布の下側端部に近接する上側シートおよび下側シートの間に設けられた封止領域をさらに含み、前記封止領域は前記膨張可能な毛布の前記足を覆う領域への空気の通過を減少させる、請求項１に記載の膨張可能な毛布。
【請求項６】
強制空気対流を有する膨張可能な毛布機器であって、
材料の上側シートと、
材料の下側シートとを含み、前記下側シートの少なくとも一部は通気性があり、
前記上側シートおよび前記下側シートはその周縁端縁のまわりでともに封止されることによって、上側端部と、前記毛布が用いられるときに患者の足の近くに位置決めするための下側端部と、２つの側部とを有し、かつ上側および下側シートの間に膨張可能な空洞を有する膨張可能な毛布を形成し、
膨張可能な毛布の下側端部に位置する膨張ポートは前記膨張可能な空洞を大気に接続し、前記膨張ポートを通じて前記膨張可能な空洞に空気が導入されることによって前記毛布を膨張させてもよく、
前記膨張ポートは給気ホースに接続可能であり、前記給気ホースを通じて前記膨張可能な空洞に前記空気が導入されて前記毛布を膨張させてもよく、前記膨張ポートは前記上側シートおよび前記下側シートの周辺部を封止することによって前記上側シートおよび前記下側シートの間に形成されることによって、前記膨張可能な空洞に通じる前記膨張ポート内に中央の空気通路を形成し、
前記膨張部は管状であり、前記膨張可能な毛布は、前記膨張ポートの外表面の少なくとも一部を覆い、前記膨張ポートに前記給気ホースが接続されるときに前記給気ホースの少なくとも一部を覆うために、毛布に取付けられて前記膨張ポートの外表面のまわりに位置決めされる管状の被覆をさらに含む、膨張可能な毛布機器。
【請求項７】
前記膨張ポートは膨張可能な毛布の下側端部から離れて外向きに延在し、前記上側シートおよび前記下側シートの伸長部の周辺部を封止することによって形成され、前記伸長部は前記膨張可能な毛布の前記下側端部から外向きに延在する、請求項６に記載の膨張可能な毛布機器。
【請求項８】
強制空気対流を用いる膨張可能な毛布機器であって、
材料の上側シートと、
材料の下側シートとを含み、前記下側シートの少なくとも一部は通気性があり、
前記上側シートおよび前記下側シートはその周縁端縁のまわりでともに封止されることによって、上側端部と、前記毛布が用いられるときに患者の足の近くに位置決めするための下側端部と、２つの実質的に平行な側部とを有し、かつ上側および下側シートの間に膨張可能な空洞を有する膨張可能な毛布を形成し、
膨張可能な毛布の下側端部に位置する膨張ポートは前記膨張可能な空洞を大気に接続し、前記膨張ポートを通じて前記膨張可能な空洞に空気が導入されることによって前記毛布を膨張させてもよく、
毛布の下側端部に近接する足を覆う領域を提供するために毛布の下側端部における上側シートおよび下側シートの間に封止領域が設けられ、前記封止領域は前記膨張可能な毛布の前記足を覆う領域への空気の通過を減少させる、膨張可能な毛布機器。
【手続補正２】
【補正対象書類名】明細書
【補正対象項目名】０００９
【補正方法】変更
【補正の内容】
【０００９】
発明の概要
この発明に従う強制空気対流システムに対する膨張可能な毛布を用いることで、次のようなステップを含む心臓手術を行なうことができる。その心臓手術は、強制空気対流システムに対する膨張可能な毛布で患者を覆うステップを含み、その膨張可能な毛布は毛布内に少なくとも１つの分離可能な封止線を有し、その分離可能な封止線は分離されてスリットを形成してもよく、この心臓手術はさらに、スリットを通じて患者の下肢（たとえば大腿）動脈に接近するステップと、伸長する医療器具をスリットを通じて大腿動脈を通じて患者の心臓に向けて通すステップと、伸長する医療器具によって心臓手術を行なうステップと、伸長する医療器具をスリットを通じて大腿動脈から引抜くステップとを含む。
【手続補正書】
【提出日】平成16年9月8日(2004.9.8)
【手続補正１】
【補正対象書類名】明細書
【補正対象項目名】０００１
【補正方法】変更
【補正の内容】
【０００１】
本発明は、請求項１の前提部に記載する家庭用電化製品と、請求項１０の前提部に記載する分配システムに係る。
【手続補正２】
【補正対象書類名】明細書
【補正対象項目名】０００５
【補正方法】変更
【補正の内容】
【０００５】
本発明は、上述の問題点が回避される解決策を提供することを目的とする。そのために、請求項１に記載する家庭用電化製品を提供する。本発明の別の面では、この問題は、請求項１０に記載する分配システムによって解決される。
【手続補正書】
【提出日】平成16年7月28日(2004.7.28)
【手続補正１】
【補正対象書類名】特許請求の範囲
【補正対象項目名】全文
【補正方法】変更
【補正の内容】
【特許請求の範囲】
【請求項１】
有機ボンド研磨物品の製造方法であって：
a)砥粒成分とフェノール系樹脂成分とを合する工程と；
b)前記の合した成分を成形する工程と；
c)湿分を含む雰囲気中で前記フェノール系樹脂成分を熱硬化するとともに、その際、前記雰囲気が、与えられた温度における通常の相対湿度を上回る相対湿度を有し、かつ前記雰囲気を前記の成形された成分と接触させ、これにより有機ボンド研磨物品を製造する工程と
を含む、有機ボンド研磨物品の製造方法。
【請求項２】
研磨車であって、
a)砥粒成分と有機ケイ素成分とを合して有機ケイ素処理砥粒成分を形成する工程と；
ｂ)前記有機ケイ素処理砥粒成分とフェノール系樹脂成分とを合する工程と；
ｃ)前記の合した成分を成形して未処理ボディを形成する工程と；
ｄ)湿分を含む雰囲気中で前記フェノール系樹脂成分を熱硬化するとともに、その際、前記雰囲気を前記未処理ボディと接触させ、これにより、得られる研磨車と同じ仕様の標準研磨車に関して破裂速度が少なくとも９％改良された研磨車を製造する工程と
を含む方法により製造された研磨車。
【請求項３】
砥石車であって、
a)砥粒成分と有機ケイ素成分とを合して有機ケイ素処理砥粒成分を形成する工程と；
ｂ)前記有機ケイ素処理砥粒成分とフェノール系樹脂成分とを合する工程と；
ｃ)前記の合した成分を成形して未処理ボディを形成する工程と；
ｄ)湿分を含む雰囲気中で前記フェノール系樹脂成分を熱硬化するとともに、その際、前記雰囲気を前記未処理ボディと接触させ、これにより、少なくとも８９．９％の湿潤強度保留率を有する砥石車を製造する工程と
を含む方法により製造された砥石車。
【手続補正書】
【提出日】平成16年8月2日(2004.8.2)
【手続補正１】
【補正対象書類名】特許請求の範囲
【補正対象項目名】請求項１
【補正方法】変更
【補正の内容】
【請求項１】
容器の軸線の周りに延在しジャケット状に閉ざされている容器側壁（２）及びこの容器側面（２）の片面に沿って形成されている底（３）を有する容器本体（１）にあって、この場合、外側の底カバー（７）が、底（３）の部分領域内に少なくとも形成されていて、この底カバー（７）は、平坦な材料の形態で形成されていて、容器本体（１）のリング状の接合領域（３ｂ，３ｂ′）に対して固定されている容器本体において、装飾層（４）が、容器側壁（２）の外面に沿って少なくとも色の層の形態で特に装飾フィルム（４′）として形成されていて、底カバー（７）の少なくとも外側の縁部分まで延在することを特徴とする容器本体。
【手続補正２】
【補正対象書類名】特許請求の範囲
【補正対象項目名】請求項２
【補正方法】変更
【補正の内容】
【請求項２】
装飾層（４）が、底カバー（７）と若干重なることを特徴とする請求項１に記載の容器本体。
【手続補正書】
【提出日】平成16年6月4日(2004.6.4)
【手続補正１】
【補正対象書類名】特許請求の範囲
【補正対象項目名】請求項７３
【補正方法】変更
【補正の内容】
【請求項７３】
R11、R14およびR16が夫々独立に、炭素原子数1-20のアルキル基および炭素原子数1-20のヘテロアルキル基からなる群から選択される、請求項16記載の化合物。
【手続補正２】
【補正対象書類名】特許請求の範囲
【補正対象項目名】請求項７４
【補正方法】変更
【補正の内容】
【請求項７４】
R11、R14およびR16が、夫々独立に、1-20個の炭素原子を含み、かつエステル基およびエーテル基の少なくとも一方を含むヘテロアルキル基を表す、請求項16記載の化合物。
【手続補正３】
【補正対象書類名】特許請求の範囲
【補正対象項目名】請求項７７
【補正方法】変更
【補正の内容】
【請求項７７】
R11、R14およびR16が夫々独立に、炭素原子数1-20のアルキル基および炭素原子数1-20のヘテロアルキル基からなる群から選択される、請求項45記載の方法。
【手続補正４】
【補正対象書類名】特許請求の範囲
【補正対象項目名】請求項７８
【補正方法】変更
【補正の内容】
【請求項７８】
R11、R14およびR16が夫々独立に、1-20個の炭素原子を含み、かつエステル基およびエーテル基の少なくとも一方を含むヘテロアルキル基を表す、請求項45記載の方法。
【手続補正書】
【提出日】平成16年8月4日(2004.8.4)
【手続補正１】
【補正対象書類名】特許請求の範囲
【補正対象項目名】全文
【補正方法】変更
【補正の内容】
【特許請求の範囲】
【請求項１】
本質的に、活性型ビタミンD化合物、親油相成分、界面活性物質、および1種または複数種の抗酸化剤からなる、液体薬学的組成物または半固体薬学的組成物。
【請求項２】
活性型ビタミンD化合物がカルシトリオールである、請求項1記載の薬学的組成物。
【請求項３】
親油相成分がMIGLYOL 812である、請求項1記載の薬学的組成物。
【請求項４】
約50%のMIGLYOL 812を含む、請求項3記載の薬学的組成物。
【請求項５】
界面活性物質がビタミンE TPGSである、請求項1記載の薬学的組成物。
【請求項６】
約50%のビタミンE TPGSを含む、請求項5記載の薬学的組成物。
【請求項７】
ブチルヒドロキシアニソールおよびブチルヒドロキシトルエンを含む、請求項1記載の薬学的組成物。
【請求項８】
約50%のMIGLYOL 812および約50%のビタミンE TPGSを含む、請求項1記載の薬学的組成物。
【請求項９】
約50%のMIGLYOL 812、約50%のビタミンE TPGS、BHA、およびBHTを含む、請求項8記載の薬学的組成物。
【請求項１０】
単位用量剤形である、請求項1〜9のいずれか一項記載の薬学的組成物。
【請求項１１】
単位用量が約10 μgから約75 μgのカルシトリオールを含む、請求項10記載の薬学的組成物。
【請求項１２】
単位用量が約45 μgのカルシトリオールを含む、請求項11記載の薬学的組成物。
【請求項１３】
単位用量剤形がカプセルである、請求項10記載の薬学的組成物。
【請求項１４】
カプセルがゼラチンカプセルである、請求項13記載の薬学的組成物。
【請求項１５】
カプセル中の内容物の総容量が10〜1000 μlである、請求項13記載の薬学的組成物。
【請求項１６】
過増殖性疾患の治療または予防のための医薬品の製造における、請求項1〜10のいずれか一項記載の薬学的組成物の使用法。
【請求項１７】
過増殖性疾患が癌である、請求項16記載の使用法。
【請求項１８】
医薬品がパルス投与で投与され、パルス投与が、3日毎に1回以下の医薬品の患者への投与を含む、請求項16記載の使用法。
【手続補正２】
【補正対象書類名】図面
【補正対象項目名】全図
【補正方法】変更
【補正の内容】
【図１】
2005515996.tif 000001
【図２】
2005515996.tif 000002
【図３】
2005515996.tif 000003
【図４Ａ】
2005515996.tif 000004
【図４Ｂ】
2005515996.tif 000005
【図５】
2005515996.tif 000006
【図６】
2005515996.tif 000007
【手続補正書】
【提出日】平成16年8月11日(2004.8.11)
【手続補正１】
【補正対象書類名】明細書
【補正対象項目名】００６３
【補正方法】変更
【補正の内容】
【００６３】
文献
1. Petersen RC, Stevens JC, Ganguli M, Tangalos EG, Cummings JL, DeKosky ST. Practice parameter: early detection of dementia: mild cognitive impairment (an evidence-based review). Report of the Quality Standards Subcommittee of the American Academy of Neurology. Neurology 2001; 56: 1133-1142
2. J. Pena-Casanova. Programa integrado de exploracion neuropsicologica - test Barcelona: bases teoricas, objetivos y contenidos. Rev. Logop., Fon., Audiol., vol XI, n°2(66-79), 1991
3. Hamilton M. Development of a rating scale for primary depressive illness. British Journal of Social and Clinical Psychology. 1967; 6:278-296
4. Hachinski VC et al. Cerebral blood flow in dementia. Arch Neurol 1975; 32: 632-637
5. Rosler M, Anand R, Cicin-Sain A, Gauthier S, Agid Y, Dal-Bianco P et al. Efficacy and safety of rivastigmine in patients with Alzheimer's disease: international randomized controlled trial. BMJ, 1999, 318:633-640
6. Rosen WG, Mohs RC, Davis KL. A new rating scale for Alzheimer's disease. Am J Psychiatry. 1984 141(11): 1356-1364
7. Folstein MF, Folstein SE, Mc Hugh PR. Mini-mental state. A practical method for grading the cognitive state of patients for the clinician. J Psychiatr Res 1975; 12:189-198
8. G. Blessed et al. The association between quantitative measures of dementia and of senile change in the cerebral grey matter of elderly subjects. Br J Psychiatry, 1968, 114: 797-811
9. Hughes CP, et al. A new clinical scale for the staging of dementia. Br J Psychiatr 1982; 140:566-572
10. Morris J. The CDR: current version and scoring rules. Neurology 1993; 43:2412-2413
11. Royall et al. CLOX: an executive clock drawing task. J Neurol Neurosurg Psychiatry 1998; 64:588-594
12. Buschke H. Cued recall in amnesia. Journal of Clinical Neuropsychology. 1984; 6(4):433-440
13. L'examen psychologique dans les cas d'encephalopathie traumatique. Archives de Psychologie. 1941; 28:286-290
14. Osterrieth PA, et al. Le test de copie d'une figure complexe. Archives de Psychologie. 1944; 30:206-356
15. J. Corwin and F.W.Bylsma. The Clinical Neuropsychologist. 1993; 7:9-15
16. Weschler D. 1981. Manual for the Weschler Adult Intelligence Scale. Psychological Corporation, New York. Weschler Adult Intelligence Scale (WAIS-III) 3rd edition. Administration and Scoring Manual by the Psychological Corporation, San Antonio, TX, USA
17. Benton AL and Hamsher R de S. Multilingual Aphasia Examination. Iowa City, Iowa: ASA Associates
18. Benton AL. Neuropsychological assessment. Annu Rev Psychol. 1994; 45: 1-23
19. Armitage SG. Psychol Monogr series 1, n°227; 1-48 (1946-69)
【手続補正書】
【提出日】平成16年8月12日(2004.8.12)
【手続補正１】
【補正対象書類名】特許請求の範囲
【補正対象項目名】請求項１
【補正方法】変更
【補正の内容】
【請求項１】
内側チューブ（１１）と、この内側チューブをギャップを介して包囲した外側チューブ（１２）とを有し、これら内側及び外側のチューブの双方を共通のチューブ肩部（１３）に連結し、このチューブ肩部が、吐出の開口を通じて内側及び外側のチューブからの製品を所望の方法で分注する手段を有する種類のチューブ（１０）にチューブ充填装置により充填するチューブ充填方法であって、処理に必要な順序で段歩的に動作するコンベヤ（１６）により、コンベヤ通路に沿って配置した充填ステーションにチューブを個々に又はグループ毎に送り、この充填ステーションでチューブに充填し、チューブを封止した後にこのチューブを前記チューブ充填装置から送出ステーションに送給するチューブ充填方法において、
前記充填ステーションにおいて、内側チューブ（１１）と外側チューブ（１２）との間のチューブ（１０）のギャップに、このギャップに導入しうる細長いノズル（１８）であって、中央に位置する雄型のマンドレル（２０）と、充填パイプ（１８ｆ）とを具え、且つギャップの形状に対応する製品供給開口を有する当該細長いノズル（１８）により充填するもので、
最初の段階として、前記ノズルの周囲外側に配置した芯出しスリーブ（１９）により、外側チューブ（１２）の開口端部が公称断面となるようにし、また当該ノズルに対して芯出しし、同時に、中央に位置した雄型の前記マンドレル（２０）により、内側チューブの開口端部が公称断面となるようにし、また前記ノズルに対して芯出しし、
次に、外側及び内側のチューブを芯出しした状態で、前記ノズル（１８）を前記チューブ肩部（１３）から僅かに離れた充填開始の初期位置に位置させ、
その後、芯出しスリーブ（１９）をチューブの開口端部の周りに保持しつつ、前記ノズル（１８）を、充填開始位置から所望の充填レベルに相当する最終位置までチューブから抜け出る方向に案内し、
さらに、前記内側チューブ（１１）には、この内側チューブの中央に導入可能な充填パイプにより充填することを特徴とするチューブ充填方法。
【手続補正２】
【補正対象書類名】明細書
【補正対象項目名】０００４
【補正方法】変更
【補正の内容】
【０００４】
米国特許出願公開第676 714 号明細書には、二重チューブの内側及び外側チューブに順次に充填する初期の手法が開示されている。
しかし、現在のところ、このような二重チューブを迅速確実に処理するための、効率的な充填処理方法、従って商業競争力のあるチューブ充填装置は存在していない。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
噴霧乾燥プロセスによって、流体抽出物と少なくとも一つの追加物質から乾燥抽出物類を調製するための方法であって、該噴霧乾燥プロセス中において乾燥形態で、該少なくとも一つの追加物質が噴霧乾燥プロセスに加えられる方法。
【請求項２】
前記少なくとも一つの追加物質が乾燥粉末形態で注入される請求項１記載の方法。
【請求項３】
前記流体抽出物が薬用植物の抽出物である請求項１又は２記載の方法。
【請求項４】
前記少なくとも一つの追加物質が生薬捕助剤である請求項１〜３のいずれか１項に記載の方法。
【請求項５】
前記捕助剤が、ラクトース、マルトデキストリン、デキストリン、乾燥グルコース、澱粉、微結晶セルロース、珪素化／珪化微結晶セルロース、Ｐｏｖｉｄｏｎｅ（登録商標）、ポリエチレングリコール、燐酸カルシウム、ステアリン酸マグネシウム、沈降珪酸、沈降シリカ、高分散シリカ、ソルビトール、マンニトール又はそれらの混合物から成るグループから選ばれる請求項４記載の方法。
【請求項６】
少なくとも一つの該追加物質の粒子サイズが１から５００μｍの範囲内である請求項１記載の方法。
【請求項７】
請求項１記載の方法によって得られる乾燥抽出物。
【請求項８】
請求項７記載の乾燥抽出物を含む薬剤。
【請求項９】
錠剤の形態をした請求項８記載の薬剤。
【請求項１０】
活性剤を含有する凝塊粒子を調製するための以下の工程を含む方法。
（ａ）流体の液滴を供し、ここで該流体が前記活性剤を含有する；
（ｂ）該液滴を固相成分の分散粒子と混合する；及び
（ｃ）該混合物を乾燥する
【請求項１１】
活性剤を含有する乾燥組成物を調製するための方法であって、該方法が以下の工程を含む方法。
（ａ）前記活性剤を含有する流体を噴霧し；
（ｂ）噴霧された該流体の存在下で固体成分を分散させ；及び
（ｃ）該流体と該固体成分とを加熱気体と接触させる
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
少なくとも１つの駆動シーブ上を走行する一方の側面に複数の溝を備えた、ベルトを有したエレベータシステムの設計方法であって、
少なくとも上記駆動シーブの直径を選択する段階と、
上記シーブ直径との比率が約０．０１５より小さくなるようにベルト上の溝幅を選択する段階と、
を含んだエレベータシステムの設計方法。
【請求項２】
上記比率が約０．００８より小さくなるように上記シーブ直径と上記溝幅とを選択する段階を含んだ請求項１に記載のエレベータシステムの設計方法。
【請求項３】
上記比率が０．００１から０．０１５の間であるように上記シーブ直径と上記溝幅とを選択する段階を含んだ請求項１に記載のエレベータシステムの設計方法。
【請求項４】
溝幅とシーブ直径の上記比率をエレベータかごの走行予想速度に基づいて選択する段階を含んだ請求項１に記載のエレベータシステムの設計方法。
【請求項５】
上記予想速度が第１の速度であるときに、第１の範囲内となるように上記比率を選択する段階と、
上記予想速度がより低速度の第２の速度であるときに、より大きな第２の範囲内となるように上記比率を選択する段階と、
を含んだ請求項４に記載のエレベータシステムの設計方法。
【請求項６】
上記予想速度が概ね１ｍ／ｓであり、かつ、上記比率が約０．００８より小さくなるように上記シーブ直径と上記溝幅とを選択する段階を含んだ請求項４に記載のエレベータシステムの設計方法。
【請求項７】
各溝のエッジにフィレットを設ける段階を含んだ請求項１に記載のエレベータシステムの設計方法。
【請求項８】
かごと、
上記かごを保持しかつ上記かごの移動を容易にし、かつ、少なくとも一方の側面上に間隔をおいて設けられた複数の溝を備えた、ベルトと、
上記かごの移動にともなって上記ベルトが走行し、かつ、上記ベルト上の上記溝の幅との比率が約０．０１５より小さくなるように上記溝の幅との関係を有する直径を有した、少なくとも１つのシーブと、
を備えたエレベータシステム。
【請求項９】
上記比率が約０．００８より小さくなることを特徴とする請求項８に記載のエレベータシステム。
【請求項１０】
上記比率が０．００１から０．０１５の間であることを特徴とする請求項８に記載のエレベータシステム。
【請求項１１】
各溝のエッジにフィレットを備えた請求項８に記載のエレベータシステム。
【請求項１２】
上記フィレットの各々が、約０．１ｍｍから約０．５ｍｍの間にある曲率半径を有することを特徴とする請求項１１に記載のエレベータシステム。
【請求項１３】
ベルトの長手方向の軸に実質的に平行に並べられた複数のコードと、
上記コード上にジャケットと、
を備え、かつ、
上記ジャケットは、該ジャケットの少なくとも一方の側面上に、長手方向に間隔をおいて設けられた複数の溝を備え、
上記溝は、上記ジャケットの上記一方の側面の近くにフィレットを備えることを特徴とする、エレベータベルトアセンブリ。
【請求項１４】
各フィレットは、等しい曲率半径を有することを特徴とする請求項１３に記載のエレベータベルトアセンブリ。
【請求項１５】
各フィレットは、約０．１ｍｍから約０．５ｍｍの間にある曲率半径を有することを特徴とする請求項１３に記載のエレベータベルトアセンブリ。
【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
スノーボード及びマウンテインバイクのいずれかをサポートするアセンブリーであって、
その片側に沿って取り付け穴を有する本体部と、
サポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするために適合された前記サポートアームサポート表面と、を含むアセンブリー。
【請求項２】
前記第１の取り付けブラケットアセンブリーが、固定手段により実質的に垂直なサポートメンバーへ固定されている、請求項１記載のアセンブリー。
【請求項３】
前記第２の取り付けブラケットアセンブリーが、サポートアセンブリーの下方向への動きを防ぐために、実質的に垂直なサポートアームへとその下方端において結合されたチェアリフトクロスメンバーを受ける凹部を備える、請求項１記載のアセンブリー。
【請求項４】
前記第２の取り付けブラケットアセンブリーが、サポートアセンブリーの下方向への動きを防ぐために、実質的に垂直なサポートアームへとその上方端において結合されたチェアリフトクロスメンバーを受ける凹部を備える、請求項１記載のアセンブリー。
【請求項５】
そのサポートアームの自由端が、その上でサポートされるメンバーが前記自由端から滑り落ちるのを防ぐために、前記サポート表面から遠方へと延びる突起部を有する、請求項１記載のアセンブリー。
【請求項６】
チェアリフトの占拠者によって着用された少なくとも１つのスキーをサポートするための少なくとも１つの第１のサポートを有するチェアリフトの上のスノーボードをサポートするためのアセンブリーにおいて、
そのチェアリフトの占拠者によって着用されたスノーボードのための第２のサポートと、
その第２のサポートメンバーへと横切る角度でそのチェアリフト上に取り付けられる前記第２のサポートと、を含むアセンブリー。
【請求項７】
スノーボード及びマウンテンバイクのいずれか１つをサポートするアセンブリーにおいて、
その片側に沿って取り付け穴を有する本体部と、
上方及び下方のサポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボード及びマウンテインバイクうちいずれか１つをサポートするために適合された前記サポートアームサポート表面と、を含むアセンブリー。
【請求項８】
前記上方及び下方のサポート表面の自由端が、その上にあるメンバーがそのサポート表面から滑り落ちるのを防ぐために、そのサポート表面から遠方に延びる突起部をそれぞれに備える、請求項７記載のアセンブリー。
【請求項９】
スノーボードをサポートするためのアセンブリーであって、
その片側に沿って取り付け穴を有する本体部と、
サポート表面を有するものであって、前記片側から遠方へと延びる、少なくとも１つの一体化したサポートアームと、
前記本体部と結合され、所定の距離だけ隔てられて配置される、第１及び第２の取付けブラケットアセンブリーと、
チェアリフトの実質的に垂直なサポートメンバーを取り囲むように配置された、前記取付けブラケットアセンブリーと、
スノーボードをサポートするために適合された前記サポートアームサポート表面と、を含むアセンブリー。
【請求項１０】
前記チェアリフト垂直サポートメンバーが、スノースキーのための少なくとも１つのサポートをサポートし、前記サポートアームが、前記スノースキーサポートを横切るように並べられる、請求項９記載のアセンブリー。
【請求項１１】
スノーボードをサポートするためのアセンブリーであって、
取り付け部を有する本体部と、
サポート表面を有するものであって、前記取り付け部から遠方へと延びる、少なくとも１つの一体化したサポートアームと、
前記本体部と結合される取付けブラケットアセンブリーと、
チェアリフトの実質的に垂直なサポートメンバーに前記取り付け部を結合させるように配置された、前記取付けブラケットアセンブリーと、
スノーボードをサポートするために適合された前記サポートアームサポート表面と、を含むアセンブリー。
【請求項１２】
前記チェアリフト垂直サポートメンバーが、スノースキーのための少なくとも１つのサポートをサポートし、前記サポートアームが、前記スノースキーサポートを横切るように並べられる、請求項１１記載のアセンブリー。
【手続補正書】
【提出日】平成16年9月7日(2004.9.7)
【手続補正１】
【補正対象書類名】明細書
【補正対象項目名】００３５
【補正方法】変更
【補正の内容】
【００３５】
さらに好ましくは、コネクタープラットフォーム３６の基板の内面６８に対する位置を確定するため、レセプタクル７６のベース部８０は好ましくは、型アセンブリ６５が閉じられた際、基板１４の内面７４に対して当接する。その上、ベース８０の外面８２はさらに好ましくは、発泡体１６がその間に延び広がることを抑えるため、そしてさらに、コネクタープラットフォーム３６がトリムパネル１０の表面３０に対して傾くのを抑えるべくベース８０の外面８２を基板１４の内面６８と平行状態で維持するため、基板１４の内面７４に対するシールを形成する。
【手続補正２】
【補正対象書類名】明細書
【補正対象項目名】００３６
【補正方法】変更
【補正の内容】
【００３６】
図２に示すように、コネクタープラットフォーム３６は好ましくは、トリムパネル１０の表面３０を横切って延びるＵ形凹部８６のベース８４の一部と連接し、外部カバー部１８，２０からなる凹部８６の側壁部８８，９０だけでなくベース８４の残部と連接する。このようにして、装着の際、Ｔ形ジョイントカバー９４の頭部９２は、ジョイントカバー９４の外面９６が外部カバー部１８，２０の外面６２，６４と実質的に同一平面（すなわちプラスまたはマイナス１ｍｍの範囲内）をなすよう凹部８６内に配置されてもよい。
【手続補正３】
【補正対象書類名】図面
【補正対象項目名】図１
【補正方法】変更
【補正の内容】
【図１】
2005515105.tif 000001
【手続補正４】
【補正対象書類名】図面
【補正対象項目名】図２
【補正方法】変更
【補正の内容】
【図２】
2005515105.tif 000002
【手続補正５】
【補正対象書類名】図面
【補正対象項目名】図３
【補正方法】変更
【補正の内容】
【図３】
2005515105.tif 000003
【手続補正６】
【補正対象書類名】図面
【補正対象項目名】図４
【補正方法】変更
【補正の内容】
【図４】
2005515105.tif 000004
【手続補正７】
【補正対象書類名】図面
【補正対象項目名】図５
【補正方法】変更
【補正の内容】
【図５】
2005515105.tif 000005
【手続補正書】
【提出日】平成16年9月8日(2004.9.8)
【手続補正１】
【補正対象書類名】特許請求の範囲
【補正対象項目名】全文
【補正方法】変更
【補正の内容】
【特許請求の範囲】
【請求項１】
直列セルを含む薄膜光起電モジュールの製造方法であって、
該セルはフロント接点、バック接点並びにフロント接点及びバック接点の間に位置づけられた光起電活性領域を含み、
該直列セルは、基板上のフロント接点層、光起電活性層及びバック接点層をスクライブすることにより形成されており、
該方法は、層全体にわたって急速に走査されたレーザービームを用いてレーザースクライブを形成するために、該フロント接点層、該光起電活性層又は該バック接点層の少なくともひとつをレーザースクライブすることを含む製造方法。
【請求項２】
請求項１記載の方法であって、前記フロント接点層、前記光起電活性層及び前記バック接点層は、層全体にわたって走査されたレーザービームを用いてスクライブされている方法。
【請求項３】
請求項１記載の方法であって、前記光起電活性層及び前記光起電活性領域はアモルファスシリコンを含む方法。
【請求項４】
請求項１記載の方法であって、前記光起電活性層及び前記光起電活性領域は、ＣｄＳ／ＣｄＴｅを含む方法。
【請求項５】
請求項１記載の方法であって、前記レーザービームは、前記スクライブを形成するために約1.0〜約50m/secの速度で走査される方法。
【請求項６】
請求項１記載の方法であって、レーザースクライブを行うために用いられる装置は、レーザー、ビーム拡大器、自動集束ユニット、及びスキャナーを含む方法。
【請求項７】
請求項６記載の方法であって、前記スキャナーは、ガルバノメーターによって操作されるＸ−Ｙミラーを含む方法。
【請求項８】
請求項６記載の方法であって、さらに線形レーザービーム形状を形成する光学部品を含む方法。
【請求項９】
請求項８記載の方法であって、前記レーザーがエキシマレーザーである方法。
【請求項１０】
請求項１記載の方法であって、層全体にわたって走査されるレーザービームの形状が線形である方法。
【請求項１１】
フロント接点層は低出力レーザーで走査されて、前記フロント接点層におけるスクライブにより引き起こされる低出力レーザービームの透過、反射又は散乱のひとつもしくはそれ以上における差を測定することにより及び測定された差を用いて光起電活性及びバック接点層の一方又は両方におけるスクライブを位置決めすることにより、フロント接点層におけるスクライブの位置を位置決めする、請求項1記載の方法。
【請求項１２】
基板上光起電デバイスの製造方法であって、
(ａ)基板上に、透明導電性フィルムをデポジットして、フロント接点層を形成する工程と；
(ｂ)レーザービームで迅速に走査することによって、該フロント接点層内に第１の溝をレーザースクライブして、基板上にフロント接点セグメントを形成する工程と；
(ｃ)該フロント電極セグメント上に、一層もしくは複数層の半導体物質層をデポジットして形成し、該半導体物質で該第１の溝を充填する工程と；
(ｄ)該第１の溝に近接する位置で、迅速にレーザービームを走査することで、該一層もしくは複数層の半導体物質層内に第２の溝をレーザースクライブする工程と；
(ｅ)該一層もしくは複数層の半導体物質層上に金属を含むバック接点層をデポジットして形成し、該第２の溝を該金属で充填して、該フロント電極セグメントと該バック接点層とを接続させる直列接続を形成する工程と；
(ｆ)該第２の溝に近接する位置で、レーザービームを迅速に走査することで、該バック接点層内に第３の溝をレーザースクライブする工程と；
を含む方法。
【請求項１３】
請求項１２記載の方法であって、前記半導体材料はアモルファスシリコンを含む方法。
【請求項１４】
請求項１２記載の方法であって、前記溝のスクライブは、約１．０〜約５０m/secにて行われる方法。
【請求項１５】
請求項１２記載の方法であって、スクライブ形成に用いられるレーザービームの形状は線形である方法。
【請求項１６】
請求項１記載の方法により製造される光起電モジュール。
【請求項１７】
少なくとも約10平方フィートのサイズである請求項１６記載の光起電モジュール。
【請求項１８】
アモルファスシリコンを含む請求項１７記載の光起電モジュール。
【請求項１９】
請求項１記載の方法であって、スクライブ形成に用いられるレーザービームが固体レーザーの２次高調波である方法。
【請求項２０】
1又はそれ以上のレーザースクライブを形成するための装置であって、
レーザーと、該レーザーにより発生したレーザービームを拡幅するビーム拡大器と、該レーザー拡大器を通過した後にレーザービームを集束させる手段と、該レーザービームを走査するスキャナーと、を含む装置。
【請求項２１】
請求項２０記載の装置であって、前記スキャナーは、Ｘ-Ｙミラーを含む装置。
【請求項２２】
請求項２０記載の装置であって、さらに線形レーザービーム形状を形成するための筒状光学部品を含む装置。
【請求項２３】
請求項２０記載の方法であって、前記レーザービームを集束させる手段が、自動集束ユニットである装置。
【請求項２４】
１又はそれ以上のレーザースクライブを形成するための装置であって、レーザー、該レーザーによって発生したレーザービームを拡幅するビーム拡大器、該レーザー拡大器を通過した後にレーザービームを集束させる手段、該レーザービームを走査するスキャナー及びレーザービーム用の線形ビーム形状を形成する光学部品を含む装置。
【手続補正書】
【提出日】平成16年7月21日(2004.7.21)
【手続補正１】
【補正対象書類名】特許請求の範囲
【補正対象項目名】請求項５
【補正方法】変更
【補正の内容】
【請求項５】
前記アンテナがばねであり、前記アンテナ・ハウジングが前記カード・ハウジングに対して伸縮するときに前記ばねが伸縮するように、前記近位端が前記アンテナ・ハウジングに対して固定され、かつ前記遠位端が前記カード・ハウジングの内側部分に接する、請求項１に記載のシステム。
【手続補正２】
【補正対象書類名】特許請求の範囲
【補正対象項目名】請求項７
【補正方法】変更
【補正の内容】
【請求項７】
前記アンテナがばねであり、前記アンテナ・ハウジングが前記カード・ハウジングに対して伸縮するときに前記ばねが伸縮するように、前記近位端が前記カード・ハウジングに接し、かつ前記遠位端が前記アンテナ・ハウジングに固定されている、請求項１に記載のシステム。
【手続補正３】
【補正対象書類名】特許請求の範囲
【補正対象項目名】請求項１３
【補正方法】変更
【補正の内容】
【請求項１３】
前記アンテナがばねであり、前記アンテナ・ハウジングが前記カード・ハウジングに対して伸縮すると、前記ばねが伸縮するように、前記近位端が前記カード・ハウジングに対して固定され、かつ前記遠位端が前記アンテナ・ハウジングの内側部分に接する、請求項９に記載のシステム。
【手続補正４】
【補正対象書類名】特許請求の範囲
【補正対象項目名】請求項１５
【補正方法】変更
【補正の内容】
【請求項１５】
前記アンテナがばねであり、前記アンテナ・ハウジングが前記カード・ハウジングに対して伸縮すると、前記ばねが伸縮するように、前記近位端が前記カード・ハウジングに接し、かつ前記遠位端が前記アンテナ・ハウジングに固定される、請求項９に記載のシステム。
【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
リノレン酸含有量が脂肪酸の総含有量の７０％より大きい亜麻種子、亜麻のひき割り、あるいは亜麻油を含む製品。
【請求項２】
請求項１記載の製品であって、リノレン酸含有量が７０〜８０％である製品。
【請求項３】
請求項１記載の製品であって、リノレン酸含有量が７０〜７５％である製品。
【請求項４】
高リノレン酸亜麻油の作製手法であって、
リノレン酸含有量が７０％より大きい多量の亜麻種子の提供、および
該種子からの油の抽出、
の手順を含む手法。
【請求項５】
請求項４記載の手法であって、提供される亜麻種子のリノレン酸含有量が７０〜８０％である手法。
【請求項６】
請求項４記載の手法であって、提供される亜麻種子のリノレン酸含有量が７０〜７５％である手法。
【手続補正書】
【提出日】平成15年11月18日(2003.11.18)
【手続補正１】
【補正対象書類名】明細書
【補正対象項目名】発明の名称
【補正方法】変更
【補正の内容】
【発明の名称】ランダム遺伝子一方向性アンチセンスライブラリー
【手続補正２】
【補正対象書類名】明細書
【補正対象項目名】０００１
【補正方法】変更
【補正の内容】
【０００１】
発明の背景
１．発明の分野：
本発明は、アンチセンステクノロジーの分野に関する。本発明はまた、アンチセンステクノロジーの、治療における利用、および遺伝子機能同定システムにおける利用に関する。本発明は、ランダム遺伝子一方向性アンチセンスライブラリーを用いた機能的ゲノミクスのための高スループットシステムに関する。そして特に、本発明は遺伝子の機能の大規模なスクリーニングのためのシステムに関する。
【背景技術】
【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
積層殺虫剤ディスペンサーであって、以下の：
-上記ディスペンサーの周囲に面し、かつ上記ディスペンサーの第一表面を構成する1の側を有する、第一外側固体、非多孔性壁要素、
-場合によって、上記ディスペンサーの周囲に面し、かつ上記ディスペンサーの第二表面を構成する1の側を有する、第二外側壁要素、
-上記第一及び第二外側壁要素間の少なくとも1の内部層又は上記第一層によって取り囲まれる少なくとも１の内部層、
を含み、
上記内部層は、上記第一外側壁要素を通して移動することができる少なくとも1の殺虫剤を含み、
上記第一外側壁要素は、UV保護剤を含み、ここで上記殺虫剤がUV放射に晒されるとき、上記UV保護剤が、UV放射により引き起こされる上記殺虫剤の分解を低減し、
ここで、上記UV保護剤が、上記第一外側壁要素を通し移動して上記第一表面に達することができることを特徴とする、
前記ディスペンサー。
【請求項２】
前記第一外側壁要素は、前記殺虫剤が前記ディスペンサーの前記第一表面に移動する速度を低減するための移動阻害剤を含むことを特徴とする、請求項1に記載の積層殺虫剤ディスペンサー。
【請求項３】
前記内部層が、
以下の：
-多孔性又は非多孔性のポリマー壁要素、
-ゲル浸潤又は液体浸潤された布地、
-ゲル浸潤又は液体浸潤された紙材料、
-ゲル、
から成る群からの少なくとも1であることを特徴とする、請求項1又は2に記載の積層殺虫剤ディスペンサー。
【請求項４】
前記内部層は、前記第一外側壁要素を通して、及び場合により前記第二外側壁要素を通して移動することができる少なくとも1のUV保護剤の貯蔵所を構成することを特徴とする、請求項1〜3のいずれか1項に記載の積層殺虫剤ディスペンサー。
【請求項５】
前記第二外側壁要素が、以下の：
-前記第一壁要素と同一の壁要素、
-前記殺虫剤の移動を阻止する壁要素、
-前記UV保護剤の移動を阻止する壁要素、
-非多孔性ポリマー・シート、
-金属箔、
から成る群からの少なくとも1であることを特徴とする、請求項1〜4のいずれか1項に記載の積層殺虫剤ディスペンサー。
【請求項６】
HALS化学製品が、前記内部層、前記第一外側壁要素、及び第二外側壁要素を含む群からの少なくとも1内に含まれることを特徴とする、請求項1〜5のいずれか1項に記載の積層殺虫剤ディスペンサー。
【請求項７】
前記内部層が、前記第二外側壁要素を通して移動できるが前記第一外側壁要素を通して移動できない更なる殺虫剤を含むことを特徴とする、請求項1〜6のいずれか1項に記載の積層殺虫剤ディスペンサー。
【請求項８】
前記殺虫剤が、殺虫剤、昆虫忌避剤、昆虫誘引剤、殺菌剤、殺真菌剤から成る群からの少なくとも1を含むことを特徴とする、請求項1〜7のいずれか1項に記載の積層殺虫剤ディスペンサー。
【請求項９】
前記ディスペンサーが、以下の物質；昆虫活動停止剤、耐火剤、動物忌避剤、匂い剤、精油、医薬、多幸物質、痛みを減じる物質からの少なくとも1を含むことを特徴とする、請求項1〜8のいずれか1項に記載の積層殺虫剤ディスペンサー。
【請求項１０】
ヒトを直接被覆するものとして、テントの壁材料として、野戦病院の壁材料として、傷カバーとして、動物の首輪として、動物の耳タグとして、又は編又は不編構造のための繊維材料としての、請求項1〜9のいずれか1項に記載の積層殺虫剤ディスペンサーの使用。
【手続補正２】
【補正対象書類名】明細書
【補正対象項目名】０００３
【補正方法】変更
【補正の内容】
【０００３】
特別な殺虫剤ディスペンサーは、米国特許第4,639,393号から知られており、防除剤を含む内部層を封入する2の外側壁要素を有する積層ディスペンサーを開示する。防除剤は、薬剤のディスペンサー表面への制御された放出のため外部層を通して移動することができる。そういったディスペンサーは、例えば壁紙、床の被覆、又は防水シートに使われうる。
【手続補正書】
【提出日】平成16年10月13日(2004.10.13)
【手続補正１】
【補正対象書類名】特許請求の範囲
【補正対象項目名】全文
【補正方法】変更
【補正の内容】
【特許請求の範囲】
【請求項１】
種子を基材層ではさむことによって人工播種ベットとして機能するシートが形成される、下記の段階を含む人工播種ベットの製造法：
セルロース線維および生物分解性のセルロースを主成分とした結合剤を表面に吹き付けることによって基材層を形成する段階であって、ここでセルロース線維およびセルロースを主成分とする結合剤を含む生物分解性基材が形成される段階；
セルロース線維および生物分解性のセルロースを主成分とする結合剤を含む基材層に種子を配置する段階；
セルロース繊維および生物分解性のセルロースを主成分とする結合剤を含む別の基材層で種子を覆う段階；ならびに
圧力で基材層を圧縮する段階。
【請求項２】
基材層を加熱する段階をさらに含む、請求項1記載の方法。
【請求項３】
シートを型押しする段階をさらに含む、請求項1記載の方法。
【請求項４】
シートをスコアリングする段階をさらに含む、請求項1記載の方法。
【請求項５】
肥料、除草剤、農薬、殺虫剤、殺菌剤、および超吸収体からなる群より選択される1つまたは複数の添加剤を加える段階をさらに含む、請求項1記載の方法。
【請求項６】
前記配置する段階が、基材層上における肥料および種子の均一な適用をさらに含む、請求項1記載の方法。
【請求項７】
セルロース線維が木材パルプ線維である、請求項1記載の方法。